(57)【要約】予測コンテンツ拡大を提供することは、(a)コンテンツ嗜好ファイル(CPF:Content  Preference  File)にアイテムとして個人の嗜好の要求(PPR:Personal  Preference  Request)を格納し、(b)前記PPRの追加分であるその後の個人の要求で前記CPFを更新し、(c)前記CPFに格納及び更新された前記PPRをリストに分類して、前記リストの特有のPPRに重み付けし、(d)分類されたPPRに動的にリンクし、(e)記録された所定の閾値の基準に到達していない場合にステップ(a)から(d)を繰り返し、(f)前記所定の閾値に到達すると、前記CPFをマスターのCPFとして特定し、(g)視聴されている番組のコンテンツを前記マスターのCPFに対して照合し、(h)前記マスターのCPFで検出された番組のコンテンツに特定されているアイテムの拡大情報についてデータベース/ネットワークで検索を開始し、(i)視聴されている前記番組のアイテムに予想拡大コンテンツとして検索結果を提供することを有する。
2005529556.tif 000002
【特許請求の範囲】
【請求項１】
予測コンテンツ拡大を提供する方法であって、
(a)コンテンツ嗜好ファイル(CPF:Content  Preference  File)にアイテムとしてユーザの個人の嗜好の要求を格納し、
(b)ステップ(a)からの前記個人の嗜好の要求の追加分であるその後の個人の要求に従って、前記CPFを更新し、
(c)前記CPFに格納及び更新された前記個人の嗜好の要求をリストに分類して、前記リストの特有の個人の嗜好の要求に重み付けし、
(d)ステップ(c)で分類されたアイテムに動的にリンクし、
(e)ステップ(a)から(d)が所定の閾値の基準に到達したか否かを決定し、前記閾値に到達していない場合にステップ(a)から(d)を繰り返し、
(f)前記所定の閾値に到達したことがステップ(e)で決定されると、前記CPFをマスターのCPFとして特定し、
(g)視聴されている番組のコンテンツを前記マスターのCPFに対して照合し、
(h)前記マスターのCPFで検出された番組のコンテンツに特定されているアイテムの拡大情報についてデータベース/ネットワークで検索を開始し、
(i)視聴されている前記番組のアイテムに予想拡大コンテンツとして検索結果を提供すること
を有する方法。
【請求項２】
請求項１に記載の方法であって、
前記所定の閾値の基準が、カテゴリ間の収束度を決定することを有する方法。
【請求項３】
請求項２に記載の方法であって、
前記所定の閾値が、ステップ(a)から(d)の所定の数の通過を有する方法。
【請求項４】
請求項１に記載の方法であって、
前記所定の閾値の基準が、ステップ(a)からステップ(d)までに経過した時間量を有する方法。
【請求項５】
請求項２に記載の方法であって、
ステップ(d)の前記リンクが、融合により実行される方法。
【請求項６】
請求項１に記載の方法であって、
ステップ(i)で提供される前記検索結果が、自動的に前記ユーザに提供される方法。
【請求項７】
請求項１に記載の方法であって、
(j)前記検索結果を視聴することを希望するか否かを確認するために前記ユーザに促すこと
を更に有する方法。
【請求項８】
請求項６に記載の方法であって、
視聴されている前記番組に中断期間が存在する時にのみ前記ユーザが前記検索結果を受ける方法。
【請求項９】
請求項７に記載の方法であって、
視聴されている前記番組に中断期間が存在する時にのみ前記ユーザが促される方法。
【請求項１０】
請求項１に記載の方法であって、
視聴されている前記番組がスポーツイベントであり、ステップ(i)で提供される前記検索結果が前記スポーツイベントに関連する統計を有する方法。
【請求項１１】
請求項１０に記載の方法であって、
ステップ(i)で提供される前記検索結果がまた、前記スポーツイベントに関連する商品を有する方法。
【請求項１２】
請求項１に記載の方法であって、
ユーザが開始した要求に応じてのみ、前記情報がステップ(i)で提供される方法。
【請求項１３】
請求項１に記載の方法であって、
ステップ(h)で開始される前記検索が、予定の番組の前の期間を決定して拡大を実行することを有する方法。
【請求項１４】
請求項１３に記載の方法であって、
前記期間が、(a)番組の詳細と、(b)分野の詳細と、(c)トピックの詳細のうちの１つに従って決定される方法。
【請求項１５】
請求項１４に記載の方法であって、
イベントの開始時間の前に拡大を実行する期間が、ユーザ定義の個人の嗜好である方法。
【請求項１６】
請求項１に記載の方法であって、
拡大のためにステップ(h)で検索される領域が、特定の番組と分野とトピックのうちの少なくとも１つに対するユーザ定義の嗜好に基づく方法。
【請求項１７】
請求項１６に記載の方法であって、
検索される前記領域が、検索の特定の情報源の同一性を有する方法。
【請求項１８】
請求項１７に記載の方法であって、
検索される前記領域が、前記検索から除外される追加情報源の同一性を有することにより、更に定められる方法。
【請求項１９】
請求項１７に記載の方法であって、
前記特定の情報源が、ヘッドラインと要約のうちの１つに制限される方法。
【請求項２０】
請求項１７に記載の方法であって、
前記特定の情報源が、ウェブページのウェブサイトの階層における複数の階層のウェブページに制限される方法。
【請求項２１】
請求項１７に記載の方法であって、
前記特定の情報源が、ウェブページのウェブサイトの階層におけるウェブページの下位階層(サブツリー)に制限される方法。
【請求項２２】
請求項１７に記載の方法であって、
前記特定の情報源が日付により制限される方法。
【請求項２３】
請求項１７に記載の方法であって、
前記特定の情報源が分量により制限される方法。
【請求項２４】
請求項１に記載の方法であって、
ステップ(i)で提供される前記検索結果が、分量により制限される方法。
【請求項２５】
請求項１に記載の方法であって、
ステップ(i)で提供される拡大情報の最大ファイルサイズを特定することを更に有する方法。
【請求項２６】
請求項２５に記載の方法であって、
前記最大ファイルサイズが、ステップ(i)で提供される前記検索結果の全サイズである方法。
【請求項２７】
請求項２５に記載の方法であって、
前記最大ファイルサイズが、前記検索で検出されたアイテム毎の個々のサイズの制限である方法。
【請求項２８】
予測コンテンツ拡大を提供する装置であって、
(a)コンテンツ嗜好ファイル(CPF:Content  Preference  File)にアイテムとしてユーザ入力の個人の嗜好の要求を格納する手段と、
(b)ステップ(a)からの前記個人の嗜好の要求の追加分であるその後の個人の要求に従って、前記CPFを更新する手段と、
(c)前記CPFに格納及び更新された前記個人の嗜好の要求をリストに分類して、前記リストの特有の個人の嗜好の要求に重み付けする分類手段と、
(d)前記分類手段で分類されたアイテムに動的にリンクするリンクモジュールと、
(e)コンテンツ嗜好要求の所定の閾値の基準に到達したか否かをプロセッサにより決定する手段と、
(f)前記所定の閾値に到達したことがステップ(e)で決定されると、前記CPFをマスターのCPFとして特定することと、
(g)照合モジュールにより、視聴されている番組のコンテンツを前記マスターのCPFに対して照合することと、
(h)検索モジュールにより前記マスターのCPFで検出され、セグメント化回路により検出された番組のコンテンツに特定されているアイテムの拡大情報についてデータベース/ネットワークで検索を開始することと、
(i)視聴されている前記番組のアイテムに予想拡大コンテンツとして検索結果を提供する検索モジュールと
を有する装置。
【請求項２９】
予測コンテンツ拡大を提供するシステムであって、
(a)コンテンツ嗜好ファイル(CPF:Content  Preference  File)にアイテムとしてユーザ入力の個人の嗜好の要求を格納する手段と、
(b)ステップ(a)からの前記個人の嗜好の要求の追加分であるその後の個人の要求に従って、前記CPFを更新する手段と、
(c)前記CPFに格納及び更新された前記個人の嗜好の要求をリストに分類して、前記リストの特有の個人の嗜好の要求に重み付けする分類手段と、
(d)前記分類手段で分類されたアイテムに動的にリンクするリンクモジュールと、
(e)コンテンツ嗜好要求の所定の閾値の基準に到達したか否かをプロセッサにより決定する手段と、
(f)前記所定の閾値に到達したことがステップ(e)で決定されると、前記CPFをマスターのCPFとして特定することと、
(g)照合モジュールにより、視聴されている番組のコンテンツを前記マスターのCPFに対して照合することと、
(h)セグメント化回路により検出され、検索モジュールにより前記マスターのCPFで検出された番組のコンテンツに特定されているアイテムの拡大情報についてデータベースとインターネットのうちの１つで検索を開始することと、
(i)視聴されている前記番組のアイテムに予想拡大コンテンツとして検索結果を提供する検索モジュールと
を有し、
前記検索モジュールが、無線、有線及び光ファイバの通信リンクのうちの１つにより、インターネットとデータベースのうちの１つと通信するシステム。
【発明の詳細な説明】
【技術分野】
【０００１】
本発明は、TV/ウェブのパーソナル化情報配信を生成、更新及び変換するために使用される処理とシステムに関するものである。特に、本発明は、視聴者のコンテンツ拡大を予想する処理に関するものである。
【背景技術】
【０００２】
先行技術では、一般的にユーザ/視聴者側で個人プロフィールを作るためにセットトップボックスが使用されてきた。例えば、TiVo(商標)システムでは、個人の嗜好のユーザ入力に基づいて、全テレビ番組を記録するためにパーソナルデジタルレコーダが使用されている。更に、複雑なシステムは映像コンテンツ拡大(VCA:video  content  augmentation)を使用する。映像コンテンツ拡大は、関連したコンテンツ情報であるTV番組データに対応する。コンテンツ拡大は、文脈情報の抽出と配信に対して新規な手法を提供する。TV番組のコンテンツが文脈を提供し、ユーザの嗜好に基づいて拡大情報が調整される。この技術により、コンテンツプロバイダが製作後に追加情報を挿入することが可能になる。ユーザは情報への高速アクセスと、強化したTV体験を受ける。
【発明の開示】
【発明が解決しようとする課題】
【０００３】
従って、本発明は、これまで未知の予想映像コンテンツ拡大(AVCA:anticipatory  video  content  augmentation)用の処理とシステムを有する。
【課題を解決するための手段】
【０００４】
本発明の一態様では、前記システムは、視聴者がちょうど見始めた番組のローカル検索又はウェブ検索を開始することにより、コンテンツ拡大を予想する。
【０００５】
例えば、ユーザがバスケットボールの試合を見始める(バスケットボールの試合は電子番組ガイド(EPG:Electronic  Programming  Guide)を介して識別され得る)。前記システムは、２つのバスケットボールチーム、選手、リーグ、リーグの他のチーム、２つのチーム間及び／又は他のチーム間の記憶に残る過去の試合についてのスポーツ統計を検索し、及び／又は取り出す。検索は、例えば検索エンジンを介してインターネットを通じて実施され得る。前記システムはまた、そのような情報(例えば、専門データベースを有するプロ・バスケットボール用のウェブサイト)を提供する所定のサイトに直接アクセスしてもよい。
【０００６】
本発明のその他の態様では、前記システムは、推薦システムと通信してユーザが好む可能性のある番組を予想することにより、番組が視聴される前であっても拡大情報を検索し始める。
【０００７】
例えば、ユーザは前記システムに好き嫌いを明示的に入力することができ、又は前記システムは視聴パターンから好き嫌いを暗示的に推測することができる。当然のことながら、ユーザがバスケットボールの試合を見る可能性があるか否かを予想するために、明示的な嗜好と暗示的な嗜好の組み合わせが使用され得る。バスケットボールの試合の場合、前記システムはEPGを確認し、ユーザがバスケットボールの試合を見る可能性があるため、コンテンツ拡大要求を予想する。ユーザがその試合を見始める前の、その予定の開始より少し前に、前記システムはユーザが試合を見始めるとすぐにユーザに利用可能になる情報についてインターネット及び／又は他の専門データベースを検索してもよい。従って、コンテンツ拡大が予想される。この情報はユーザに促され、又はユーザの開始により提供され得る。
【０００８】
所定の閾値の基準は、カテゴリ間の収束度を決定することを有してもよい。所定の閾値は、所定の数の通過を有し得る。代替として又はそれに加えて、所定の閾値の基準は、ステップからの経過した時間量を有してもよい。
【０００９】
ステップのリンクは、融合により実行され得る。更に、ステップ(i)で提供される検索結果は、ユーザに自動的に提供され、又は検索結果を視聴することを希望するか否かを確認するためにユーザに促され得る。
【００１０】
視聴されている番組に中断期間が存在する時にのみ、ユーザは検索結果を受け得る。代替として、視聴されている番組に中断期間が存在する時にのみ、ユーザは促され得る。
【００１１】
本発明はスポーツイベントに限定されず、多数の異なるカテゴリの番組への用途を有するが、スポーツイベント(バスケットボールの試合等)に関する例では、ステップ(i)で検索結果が提供される番組は、スポーツイベントに関する統計を有してもよいことが想定される。ステップ(i)で提供される検索結果はまた、スポーツイベントに関する商品を有する。
【発明を実施するための最良の形態】
【００１２】
図１Ａから１Ｃは、本発明による方法の態様の概要を提供する。この特定の例では、ユーザがシステムに嗜好を自発的(明示的)に入力するが、本発明は明示的な嗜好の入力に限定されないことがわかる。従って、その嗜好はユーザの視聴履歴から推測されることも可能であり、又は視聴履歴と明示的な嗜好の組み合わせが使用されることも可能である。
【００１３】
ステップ105において、嗜好のユーザ入力がコンテンツ嗜好ファイル(CPF:Content  Preference  File)に格納される。
【００１４】
ステップ110において、ユーザがCPFに関する追加入力を提供すると、CPFが更新される。一定期間に渡って、又は嗜好の初期準備の間にユーザが情報を提供し続ける場合に、追加入力が入力され得る。追加入力により、CPFに格納される追加カテゴリ/リストが存在することがある。
【００１５】
ステップ110の更新処理の一部は、ユーザにより示された嗜好をランク付けすることを有してもよい。重みに基づくシステムが使用可能であり、そのシステムではその後/追加の嗜好を有する嗜好がユーザによる追加入力のない他のものより大きく重み付けられ得る。
【００１６】
ステップ115において、CPFのカテゴリの動的リンクが行われる。例えば、ユーザがバスケットボールとフットボールへの興味を示すと、これらのカテゴリがリンク付けされ、サッカーやオリンピック報道等の他のスポーツイベントへの重み付けが行われる。更に、同様の種類の音楽を備えたサウンドトラックを有する音楽ビデオや映画のような、多様なカテゴリへのリンク付けも存在し得る。
【００１７】
ステップ120において、マスターのCPFの生成に関して閾値に到達したか否かの決定が行われる。閾値に到達するまで、ステップ105から115が繰り返される。
【００１８】
入力と更新の閾値がマスターのCPFのレベルに到達したという意味は、このマスターのCPFが予想コンテンツ拡大のためにシステムにより利用されるということである。例えば、テレビ番組コンテンツ(クローズドキャプションのキーワード)を特定するために(ステップ125で)マスターのCPFが使用され、ステップ130において、ステップ125で特定されたテレビ番組コンテンツの出力とマスターのCPFのリストを照合するためにマスターのCPFが使用される。
【００１９】
ステップ135において、視聴されている又は視聴される可能性があるバスケットボールの試合の場合には、チーム、試合、スポーツ等に関するスポーツ統計について、ネットワークでの検索又はデータベース(ローカル若しくはウェブ)検索を開始することにより、コンテンツ拡大要求が予想される。
【００２０】
ステップ140に関して、ステップ135の後に動作し得る少なくとも２つのモードが実際に存在する。第１のモードでは、システムはユーザがコンテンツ拡大を要求することを待機する。第２のモードでは、ステップ130からの１つ以上の照合アイテムについて、ユーザへの警告を起動する。
【００２１】
ユーザが拡大コンテンツ情報を要求し始めたか否かを決定するために、システムは定期的又は継続的に監視する。ユーザが拡大コンテンツ情報を受信/要求したことが決定されると、以前のレベルの情報が提供された時に次の(例えばその後の)レベルの情報がユーザに利用可能になる。
【００２２】
コマーシャルブレーク、ステーションブレーク(station  break)等の間にコンテンツ情報がユーザに提供され、又はユーザに促され得ることが当業者にわかる。音声の変化、クローズドキャプション文字、音声等のような、ケーブル/放送/衛星システムから生じた入力によりステーションブレーク/コマーシャルブレークを特定することは当業者に既知である。
【００２３】
ステーションブレークを認識することについては、1998年7月28日に出願され、Nevenka  DimitrovaとThomas  McGeeとHerman  ElenbaasとEugene  LeyviとCarolyn  RamseyとDavid  Berkowitzにより発明された米国特許第6,100,941号“Apparatus  and  Method  for  Locating  a  Commercial  Disposed  Within  a  Video  Data  Stream”に記載され、その内容が参照として取り込まれる。この文献は映像データを分析する手段を開示し、その手段は視聴されている番組の中断期間を決定するために適用され得る。
【００２４】
コマーシャルブレーク/ステーションブレークが発生したことを決定するために、一時停止検出が使用され得る。このように、一時停止は音が存在しない(又は視聴者に検出される音が存在しない)期間である。Classification  of  General  Audio  Data  for  Content-Based  Retrieval(D.LiとI.K.SethiとN.DimitrovaとT.Mcgeeによる“Classification  of  general  audio  data  for  content-based  retrieval”、Pattern  Recognition  Letters、533-544ページ、Vol.22、No.5、2001年4月)に記載されるように、一時停止検出器は、人間の知覚と一致した結果を生成する。
【００２５】
中断期間が生じたことが決定されると、希望する場合には経歴やスポーツ統計(番組がスポーツイベントの場合)や重要記事等のような、番組に関する情報がユーザに提供され、又は促され得る。当然のことながら、このシナリオはユーザの嗜好において非分断的に指定される。ユーザがコンテンツ拡大の分断的なモードを指定した場合には、音声又は視覚信号を介して通常の番組の間に通知が生じ得る。
【００２６】
予想の拡大は、イベントまでの時間間隔に基づいて生じ得る。例えば“アカデミー賞”の前に、全ての指名された俳優と監督がテレビやラジオの多様なトークショー又は娯楽雑誌形式のショーに登場する。コンテンツ拡大の情報源は、イベントの前の他のTV番組であり、また多用な関連ウェブページである。システムは、潜在的なコンテンツからハイレベルの要約情報を抽出し、この情報を外部(他の情報源)からの情報と照合する。例えば、システムは指名されている俳優/女優、製作者、監督、特殊効果専門家の名前を見つけて、これらの著名人の名前を使用して多様なTV番組の関連するセグメントを見つける。映像コンテンツのセグメント化とインデックス化は、Elenbaas,J  HとDimitrova,NとMcgee,TとSimpson,MとMartino,JとAbdel-Mottaleb,MとGarrett,MとRamsey,CとDesai,RによるPersonalized  Video  Classification  And  Retrieval  System、EP  1  057  129  A1、2000年12月6日と、Nevenka  DimitrovaとThomas  McGeeとHerman  ElenbaasとRadu  JasinschiとLalitha  AgnihotriとSerhan  DagtasとAaron  MendelsohnによるMethod  and  Apparatus  for  Audio/Data/Visual  Information  Selection、PHA23,847、1999年11月18日出願、出願番号09/442,960に記載されている。前記セグメントが特定され、著名人の名前とリンク付けされると、システムは実際のイベント(アカデミー賞)を予想してそのセグメントを格納する。
【００２７】
アカデミー賞の前のショーのうちのトークショーのセグメントに加えて、システムはPeople  Magazineのウェブサイトのような異なるウェブサイトを追跡する。従って、イベント/番組の種類毎に、システムは外部の情報源から情報を追跡して取り出す必要のある時間についての情報を保持する。例えば、スポーツイベントでは、システムはウェブからの情報抽出を使用して、試合前の10分間のみ情報を取り出す。アカデミー賞のような種類のショーでは、システムはショーの前の２週間の全てのTVチャンネルを監視する必要がある。ユーザの視点から、何の種類の情報源をシステムが追跡すべきかについての指針をユーザが与える必要がある。例えば、New  York  Timesのウェブサイトからの情報を追跡及び取得するが、タブロイド紙のウェブサイトは行わない。
【００２８】
従って、本発明は、システムが拡張に必要な時間の長さを事前に特定するように調整可能であるだけでなく、時間の長さはショーの詳細、分野の詳細又はトピックの詳細のうちのいずれかに従って設定可能である。
【００２９】
図２は、本発明の全てのハードウェア機能を提供するシステム及び／又は装置の簡単なブロック図を示したものである。装置の中央部にCPU/プロセッサ10が存在する。個人の嗜好の要求を入力するために入力インタフェース(すなわち赤外線センサ12)が使用可能であり、その個人の嗜好の要求はコントローラ20を介してコンテンツ嗜好ファイル24に格納される。追加/その後の入力が行われると、更新手段を介してCPFファイルが更新される。分類手段26は嗜好の要求を分析し、いくつかの共通のスレッドに従って分類する。リンクモジュール16は、全ての分類された嗜好の要求をリンク付けする。プロセッサは、所定の閾値の基準がマスターのCPFファイルとしてCPFファイルを特定するか否かについて記録を取る。TV(放送、ビデオテープ等)により視聴されている番組に対して比較し、セグメント化回路20により検出されて照合モジュール22によりマスターのCPFファイルで視聴される間に、視聴されている番組の何らかのコンテンツに照合する基準が存在するか否かを確認するために、マスターのCPFが使用される。検索モジュール18はインターネット、LAN、WAN、ISPのうちのいずれかでデータベース検索を実行し、マスターのCPFで検出された番組のコンテンツに特定されているアイテムの拡大情報を見つける。検索モジュールの結果は、TV2でユーザに表示及び／又は促され得る。代替として、ユーザの要求に応じて又はユーザの促進に対する応答により取り出すために、拡大情報は記録装置に格納され得る。
【００３０】
本発明の要旨又は特許請求の範囲から逸脱することなく、多様な変更が当業者により行われ得る。当然ながら、そのために前述の例が限定のためではなく、説明目的のために提供されている。例えば、システムが拡大するために必要な事前の時間の長さは、要求又はユーザの嗜好に応じて変化され得る。更に、システムが予想情報を引き出すために検索する情報源は、雑誌、テレビショー、コラムニスト(通信社又はその他)、業界誌、ラジオの司会者、トークショーの司会者、スポーツ関連のウェブサイト(メジャーリーグベースボールのウェブサイト、電子ニュース機関(Associated  Press、Yahoo等)等)のウェブサイトから選択され得る。取り出された情報の分量は、大きさ、日付、アイテムが特定の要約に記載されている回数等によりフィルタリングされ得る。最終的に、詳細情報のレベル(ウェブページの全サブツリーに対するヘッドラインや要約等)は、要求又はユーザの嗜好に従って変更され得る。
【図面の簡単な説明】
【００３１】
【図１Ａ】本発明の態様の概要を示すフローチャートである。
【図１Ｂ】本発明の態様の概要を示すフローチャートである。
【図１Ｃ】本発明の態様の概要を示すフローチャートである。
【図２】本発明によるハードウェア動作の一態様のブロック図を示したものである。
2005529556.tif 000003
【図１Ｂ】
2005529556.tif 000004
2005529556.tif 000005
【図２】
2005529556.tif 000006
【国際調査報告】
2005529556.tif 000007
2005529556.tif 000008